(57)【要約】【課題】外装材を建物躯体の外側面に取付る上で、クレーンに対する占有時間を短縮する。【解決手段】本発明装置は、上部に玉掛ワイヤＷに連結される一対の吊りピース４を一体化した一対の吊りビーム３と、吊りビーム３の先端下部に垂設され、躯体２５の外側面の上部床面に予め設けたブラケット２６に連結される連結支柱５と、その後部にあって、吊りビーム３の下部に垂設されて上部床面束材に設置される脚部６と、吊りビーム３をガイドとしてこれに沿って前後移動可能に支持されたトロリ７と、トロリ７に懸架されて外装材２３を昇降可能に吊下するチェーンブロック８と、トロリ７に連結されトロリ７の移動とともに水平移動するゴンドラ状の作業架台９を備えた。【選択図】      図３
2006009407.tif 000002
【特許請求の範囲】
【請求項１】
所定間隔をおいて平行に連結され、かつ上部にそれぞれクレーンに玉掛ワイヤで連結される一対の吊りピースを一体化した左右一対の吊りビームと、
各吊りビームの先端下部に垂設され、外装材が取付られる建物躯体外側面の上部床面に予め設けたブラケットに連結される一対の連結支柱と、
連結支柱の後部にあって、吊りビームの下部に垂設されて前記上部床面に直接或いは束材を介して設置される仮置き用の脚部と、
各吊りビームをガイドとしてこれに沿って前後移動可能に支持された一対のトロリと、
各トロリに懸架されて前記外装材を昇降可能に吊下するチェーンブロックとを備えた
ことを特徴とする外装材取付装置。
【請求項２】
請求項１において、吊りビームの上面に設置された玉掛作業用のステージと、両吊りビームの先端下部と前記ステージとを結ぶステップと、両吊りビーム間の後部下面に水平移動可能に吊下され、かつ前記トロリに連結された作業架台と、作業架台に固定配置され、かつ作業架台の前進位置において前記ステージと作業架台内を連絡する梯子とを備えたことを特徴とする外装材取付装置。
【請求項３】
地上部において吊りビームの吊りピースに玉掛ワイヤを連結し、吊りビームを水平に保った状態で、チェーンブロックのフックを外装材先端に連結し、外装材を鉛直に吊上げる工程と、
前記外装材の取付位置である建物躯体の外側面上部において前記クレーンにより吊りビームを横移動し、予め上部床面に設けたブラケットに先端部の連結支柱を位置決めして連結固定するとともに、仮置き用脚部を床面に直接或いは束材を介して設置する工程と、
前記吊りピースから玉掛ワイヤを掛け外し、トロリを躯体側面側に引寄せ、チェーンブロックの操作により外装材の高さ位置を調整して外装材を固定位置に位置させる工程と、
外装材を躯体外側面に固定した後、チェーンブロックのフックを掛け外すとともに、吊りピースに玉掛ワイヤを連結し、次いで連結支柱をブラケットから取外し、クレーンにより空荷状態の吊りビームを地上部に吊り降ろす工程
とからなることを特徴とする外装材取付装置を用いた外装材の取付方法。
【発明の詳細な説明】
【技術分野】
【０００１】
本発明は、外装材取付装置、及びこの装置を用いた外装材の取付方法に関する。
【背景技術】
【０００２】
外装カーテンウオールの取付方法及び取付装置の従来技術として、下記特許文献１に示す方法がある。この方法では、建物外壁パネルの竪目地内に装着した竪ガイドレールを案内として昇降する垂直運搬機によって外装カーテンウオールを把持し、同カーテンウオールの取付階まで揚重した後、同取付階の上下スラブ端部に沿って横移動自在に配設された水平運搬機に前記カーテンウオールを引寄せて積替え、同水平運搬機によって前記カーテンウオールを所定位置に横移動した後、同カーテンウオールを建物外壁に固着するものである。
【特許文献１】特許第２９０９６５４号公報
【発明の開示】
【発明が解決しようとする課題】
【０００３】
しかしながら、以上の方法及び装置にあっては、予め専用の垂直及び水平運搬機を外壁パネルに装備しておかなければならず、余分な機材を必要とするほか、これら機械類の取付・撤去作業も面倒となっていた。
【０００４】
このような方法に比べて、タワークレーンなど建物躯体施工用の大型クレーンを用いて外装材を吊上げ、施工位置に直接固定する方法が一般的である。この方法では、前記のような専用の装置が不要であり、かつ大型の吊り荷であっても簡単かつ迅速に施工現場近くまで揚重できる。
【０００５】
反面、吊り荷の横行き、上下動などの細かい作業における現場位置決め操作は容易でなく、外装材取付及びワイヤーの掛け外しの最終工程に至るまでの間、クレーンを占有しなければならないため、使用時間が長くなり、他の資材・機材の揚重作業に影響を与え、施工全体が遅延する原因となる。
【０００６】
本発明は、以上の課題を解決するものであって、その目的は、クレーンを用いて外装材を建物躯体の外側面に取付る上で、クレーンに対する占有時間を短縮できるようにした外装材取付装置を提供するものである。  
また、本発明は、以上の取付装置を用いた好適な取付方法を提供するものである。
【課題を解決するための手段】
【０００７】
前記目的を達成するため、本発明の外装材取付装置は、所定間隔をおいて平行に連結され、かつ上部にそれぞれクレーンに玉掛ワイヤで連結される一対の吊りピースを一体化した左右一対の吊りビームと、各吊りビームの先端下部に垂設され、外装材が取付られる建物躯体外側面の上部床面に予め設けたブラケットに連結される一対の連結支柱と、連結支柱の後部にあって、吊りビームの下部に垂設されて前記上部床面に直接或いは束材を介して設置される仮置き用の脚部と、各吊りビームをガイドとしてこれに沿って前後移動可能に支持された一対のトロリと、各トロリに懸架されて前記外装材を昇降可能に吊下するチェーンブロックとを備えたことを特徴とするものである。
【０００８】
請求項１においては、吊りビームの上面に設置された玉掛作業用のステージと、両吊りビームの先端下部と前記ステージとを結ぶステップと、両吊りビーム間の後部下面に水平移動可能に吊下され、かつ前記トロリに連結された作業架台と、作業架台に固定配置され、かつ作業架台の前進位置において前記ステージと作業架台内を連絡する梯子とを備えたことを特徴とするものである。
【０００９】
本発明方法は、地上部において吊りビームの吊りピースに玉掛ワイヤを連結し、吊りビームを水平に保った状態で、チェーンブロックのフックを外装材先端の吊り金具に連結し、外装材を鉛直に吊上げる工程と、前記外装材の取付位置である建物躯体の外側面上部において前記クレーンにより吊りビームを横移動し、予め上部床面に設けたブラケットに先端部の連結支柱を位置決めして連結固定するとともに、仮置き用脚部を床面に直接或いは束材を介して設置する工程と、前記吊りピースから玉掛ワイヤを掛け外し、本外装材取付装置単独で、トロリを躯体側面側に引寄せ、チェーンブロックの操作により外装材の高さ位置を調整して外装材を固定位置に位置させる工程と、外装材を躯体外側面に固定した後、チェーンブロックのフックを掛け外すとともに、吊りピースに玉掛ワイヤを連結し、次いで連結支柱をブラケットから取外し、クレーンにより空荷状態の吊りビームを地上部に吊り降ろす工程とからなることを特徴とするものである。
【発明の効果】
【００１０】
したがって、以上の構成によれば、装置の吊りビームに対して、吊り荷である外装材は水平移動及び昇降可能に吊下されているので、クレーンにより所定位置に吊上げ、装置を仮固定した後はクレーンから切離し、装置により移動調整を行うことができる。つまり、大まかな揚重及び横行作業をクレーンで行い、微調整作業を取付装置によって行うことができるため、クレーンの占有時間を短縮でき、クレーンを他の資材・機材の揚重作業に転用できることにより、全体の工程を短縮できる。
【００１１】
また、請求項２に記載の発明では、ステージ上でクレーンフックに対する玉掛けおよび掛け外し作業を安全に行え、掛け外し後は作業架台に乗り移って外装材に対する掛け外し作業を安全に行うことができる。
【００１２】
さらに、請求項３に係る本発明方法では、クレーンにより装置ごと外装材を吊上げ、装置を躯体外側面上部に固定し、安全性を確保した後は、装置により外装材の上下及び横行調整により躯体外側面に固定でき、その後再びクレーンにより空荷状態の装置を地上部に吊り降ろすことで、繰返し、外装材の揚重と固定に転用できる。
【発明を実施するための最良の形態】
【００１３】
以下、本発明の好適な実施の形態につき添付図面を用いて詳細に説明する。図１は本発明にかかる外装材取付装置を示すものである。
【００１４】
同図において、この取付装置１は、複数の横桁２などにより平行に連結されたＨ形鋼からなる水平な一対の吊りビーム３と、両吊りビーム３の前部及び後部側の上面に溶接などにより一体化された一対の吊りピース４と、各吊りピース４の先端下部に一体に垂設された一対の連結支柱５と、連結支柱５の後部にあって吊りビーム３の下部に垂設された仮置き脚部６とからなる基本的骨組構造を備えている。
【００１５】
前記各吊りビーム３には、これを水平ガイドとしてその前後方向に移動可能に支持された一対のトロリ７が配置され、かつ各トロリ７の下部にはそれぞれチェーンブロック８が垂下されている。
【００１６】
各トロリ７の後部にあって、吊りビーム３間の下部には周囲に養生ネットを張巡らせたゴンドラ状の作業架台９がミニトロリ１０を介して水平移動可能に吊下されている。
【００１７】
前部側のミニトロリ１０は前記トロリ７に連結され、作業架台９はトロリの７の移動と共に前後移動可能となっている。
【００１８】
なお、図中符号１１はトロリ７に固定した逸走防止ブラケットで、１２は吊ビーム３のウエッブに固定したトロリ及びゴンドラストッパであり、揚重時において図示されていないピンで固定された逸走防止ブラケット１１によりトロリ７及び作業架台９は図示の位置に固定され、この状態からブラケット１１の図示されていない固定ピンを外すことで前進が可能となる。
【００１９】
さらに、前記吊りビーム３間のほぼ中央上部にはエキスパンドメタルなどからなる玉掛作業用のステージ１４が設置され、その周囲を養生柵１５及び養生用金網などで囲っている。このステージ１４は、前記連結支柱５間を連結する下部横桁２と脚部６の上縁間に掛渡されたステップ１６によって吊りビーム３の前部側から作業員が乗降可能となっている。
【００２０】
これに加え、前記作業架台９の後部内側には垂直梯子１７が固定され、作業架台９の前進位置で前記養生柵１５の後部中央に形成された開口部の下部に梯子１７が一致し、作業員はこの開口部をくぐり抜けて梯子１７を伝って作業架台９内に乗移り可能となっている。
【００２１】
前記連結支柱５の下端には後述する躯体側ブラケットにピン結合される一対のブラケット１８が一体化され、これに設けた孔にピン１９を挿通することで、躯体側ブラケットに連結される。また仮置き脚部６の下部にはクランプ具２０が脱着可能に取付けられる。仮置き脚部６は、後述する躯体側に仮設された束材の上部に設置されるもので、設置後、クランプ具２０を両者間に挟み込んで締付けることで、装置１を安定して仮固定するためのものである。なお、このクランプ具２０は小さい部品であるため、予め鎖などによって脚部６に連結しておくことで、その紛失を防止できる。
【００２２】
図２は以上の取付装置１の吊り荷状態を示すものである。図において後部側吊りピース４はタワークレーンの抜止め付きフック２１に玉掛ワイヤＷを介して連結され、前部側吊りピース４はフック２１に玉掛ワイヤＷ及びチェーンブロック２２を介して連結され、チェーンブロック２２による伸縮調整により吊りビーム３は水平に保持される。また、吊りビーム３の下部においてチェーンブロック８の下端に設けたフック８ａは外装材２３の先端に設けた吊金具に結合したシャックル２４に係合して外装材２３を鉛直状態に吊下げ、矢印に示すごとく装置１ごと昇降及び横行操作がなされる。
【００２３】
次に、以上における外装材２３の吊り上げから建て込みまでの作業手順を図３を用いて説明する。まず（ａ）に示すように、地上部の資材置場に設置されている外装材２３の先端位置上部において、吊り荷装置１を一対の玉掛ワイヤＷ及びチェーンブロック２２を介してフック２１により吊上げる。このとき作業員ＡはワイヤＷの玉掛作業とチェーンブロック２２のチェーン操作により伸縮調整を行い、吊りビーム３を水平に調整する。
【００２４】
また、作業員Ｂは、シャックル２４を外装材２３先端の吊金具に取付けるとともに、チェーンブロック８の先端フック８ａをシャックル２４に連結した後、作業員Ａ，Ｂとも待避すれば、揚重作業準備状態となる。
【００２５】
なお、この状態のまま引上げたのでは、外装材２３が完全に吊られる状態となるまで、その後端が地上部にひきずられ、破損の原因となるため、タワークレーンと協働して後端側を図示しない小型クレーンで玉掛ワイヤを介して一定の高さまで持上げておき、完全に鉛直になった状態で、小型クレーンの玉掛ワイヤを撤去すれば、図２のごとく吊り荷状態を保持したまま施工階まで揚重されるものとなる。
【００２６】
次いで、（ｂ）に示すように、建物躯体２５における施工階の上部床面には、前記連結支柱５のブラケット１８に係合するブラケット２６が一体に設けられているとともに、その先端側には前記仮置き脚部６の下端が設置される仮設束材２７が設けられている。そして、この位置に待機する作業員Ｃ，Ｄがタワークレーンの操縦者と無線交信して、タワークレーンの横行動作させて装置１を前進させ、ブラケット１８、２６を係合してその孔位置を一致させたら、ピン１９を差込むことで、連結支柱５は躯体２５に固定され、また仮置き脚部６は束材２７上に設置される。
【００２７】
この後、（ｂ）の一部に拡大して示すように、クランプ具２０により脚部６と束材２７間を結合すれば、装置１は完全固定されることになる。この確認は、フック２１を下降させてややワイヤＷの張力をゆるめても装置１が動かないことによって確認される。
【００２８】
確認後は、一方の作業員Ｄがステップ１６を通じてステージ１４上で玉掛ワイヤＷ，チェーンブロック２２を吊りピース４より掛け外すことにより、装置１とタワークレーンのフック２１とは完全に切離され、タワークレーンを他の資材・機材の揚重作業に転用できる。
【００２９】
その後、トロリ７の逸走防止ブラケット１１の図示されていないピンを取外し、前部側に盛替えれば、（ｃ）に示すようにトロリ７及び作業架台９は躯体２５の外側部側に前進する。
【００３０】
この場合の引寄せ作業は作業員Ｃにより行う。この移動作業により外装材２３は躯体２５の外側面に突き当てられる。そして、逸走防止ブラケット１１をピンで固定する。その後はチェーンブロック８のチェーン操作により、外装材２３の上下調整を行うことができる。なお、この操作は作業架台９側に乗り移った作業員Ｄによって行ってもよいが、チェーンは下部側に延長できるため、その下階である施工階に位置する図示しない作業員の操作によって調整する方が望ましい。
【００３１】
調整作業後は外装材２３の固定がなされ、固定作業完了確認後は、作業員Ｄにより、シャックル２４及びフック８ａを外装材２３より取外せば、外装材２３の荷重は躯体２５側に預けられ、空荷状態の装置１のみが施工階上部に残置されるものとなる。
【００３２】
その後は、タワークレーンを呼出し、前記作業手順とは逆に、玉掛作業ののち、ピン１９及びクランプ具２０の取外し作業を行えば、再び装置１を地上部に吊り降ろすことができ、他の部位の外装材の吊り込み施工に繰返し転用できるのである。
【図面の簡単な説明】
【００３３】
【図１】本発明にかかる外装材取付装置の正面図、側面図、平面図及び背面図である。
【図２】同取付装置の吊下状態を示す側面図である。
【図３】（ａ）〜（ｃ）は同取付装置による外装材のつり上げから建て込みまでの作業手順を示す側面図である。
【符号の説明】
【００３４】
１  外装材取付装置
３  吊りビーム
４  吊りピース
５  連結支柱
６  仮置き用脚部
７  トロリ
８  チェーンブロック
８ａ  フック
９  作業架台
１４  玉掛作業用ステージ
１６  ステップ
１７  梯子
１８，２６  ブラケット
１９  ピン
２３  外装材
２５  建物躯体
Ｗ  玉掛ワイヤ
【図１】
2006009407.tif 000003
【図２】
2006009407.tif 000004
【図３】
2006009407.tif 000005